(57)【要約】【課題】高い光出力を得ることができると共に均一な光強度分布を有する光を出射することのできる蛍光体光源装置を提供すること。【解決手段】この蛍光体光源装置は、励起用光源より出射される光によって蛍光体を励起させて当該蛍光体から発せられる光を出射するものであって、ホログラム素子が、励起用光源よりの光が当該ホログラム素子の製造時に用いられた参照光の照射方向に沿った方向より照射される位置であって、かつ、当該ホログラム素子に記録された再生像が蛍光体上に生成される位置に、配置されており、ホログラム素子として、蛍光体上の再生像領域内における光強度分布が均一な再生像を生成するものが用いられる。【選択図】図１
2014002839.tif 000002
【特許請求の範囲】
【請求項１】
蛍光体と、当該蛍光体を励起させる光を出射する励起用光源とを具備し、当該蛍光体から発せられる光が出射される蛍光体光源装置であって、
ホログラム素子が、前記励起用光源よりの光が当該ホログラム素子の製造時に用いられた参照光の照射方向に沿った方向より照射される位置であって、かつ、当該ホログラム素子に記録された再生像が前記蛍光体上に生成される位置に、配置されており、
当該ホログラム素子は、前記蛍光体上の再生像領域内における光強度分布が均一な再生像を生成するものであることを特徴とする蛍光体光源装置。
【請求項２】
複数の励起用光源を具えており、当該各々の励起用光源より出射されるレーザ光の前記ホログラム素子上の各照射位置から発生する再生像の各々が前記蛍光体の入射面において重ね合わせられることを特徴とする請求項１に記載の蛍光体光源装置。
【請求項３】
前記励起用光源より出射される光を前記ホログラム素子の入光面上において走査させる光学素子を具えていることを特徴とする請求項１または請求項２に記載の蛍光体光源装置。
【請求項４】
蛍光体と、当該蛍光体を励起させる光を出射する複数の励起用光源とを具備し、当該蛍光体から発せられる光が出射される蛍光体光源装置であって、
複数のホログラム素子が、対応する励起用光源より出射される光が当該ホログラム素子の製造時に用いられた参照光の照射方向に沿った方向より照射される位置であって、かつ、当該ホログラム素子に記録された再生像が前記蛍光体上に生成される位置に、配置されており、
前記複数のホログラム素子による再生像の各々が重ね合わせられて、前記蛍光体上の再生像領域内における光強度分布が均一な合成再生像が生成されることを特徴とする蛍光体光源装置。
【請求項５】
前記ホログラム素子は、前記蛍光体上の矩形領域を照明する光よりなる再生像が記録されたものであることを特徴とする請求項１乃至請求項４のいずれか１項に記載の蛍光体光源装置。
【発明の詳細な説明】
【技術分野】
【０００１】
本発明は、光源より出射される光によって蛍光体を励起させて当該蛍光体から発せられる光を出射する蛍光体光源装置に関する。更に詳しくは、本発明は、例えば、液晶表示デバイスやデジタルマイクロミラーデバイスなどの空間変調素子を具えたプロジェクタ装置用の光源として用いられる蛍光体光源装置に関する。
【背景技術】
【０００２】
近年、プロジェクタ装置用の光源として蛍光体光源装置を利用する技術の研究が進められている。蛍光体光源装置は、光源より出射される光によって蛍光体を励起させて当該蛍光体から発せられる光を出射するものであり、蛍光体の励起用光源としては、例えば発光ダイオードや半導体レーザなどの固体光源が用いられる。
【０００３】
このような蛍光体光源装置としては、例えば、２つの励起用光源と、これらの励起用光源より出射される光によって励起されて発光する蛍光体とを具え、蛍光体が各々の励起用光源より出射される光が重なる領域にのみ設置された構成のものが知られている（特許文献１参照。）。
また、例えば、内面が反射面とされた筒状部材の内面に帯状に蛍光体が配置されてなり、励起用光源より出射される光を筒状部材の側面の光入射口から筒状部材内に入射させて蛍光体を励起させ、蛍光体から発せられる光を筒状部材の端面より出射させる構造の蛍光体光源装置が知られている（特許文献２参照。）。
【先行技術文献】
【特許文献】
【０００４】
【特許文献１】特開２０１１−１６５５４７号公報
【特許文献２】特開２０１１−２５３７４９号公報
【発明の概要】
【発明が解決しようとする課題】
【０００５】
ところが、特許文献１に記載の蛍光体光源装置では、２つの励起用光源の各々から放射される光が重なる領域内の光のみを利用するため、励起用光源より出射される光を有効に利用することができず、十分な発光効率を得ることができない。従って、当該蛍光体光源装置がプロジェクタ装置用の光源として利用される場合には光量が不十分である、といった問題があった。
また、特許文献２に記載の蛍光光源装置では、筒端部から出射する蛍光強度分布は、均一なものとはならない。プロジェクタ装置用の光源として利用する場合は、略矩形の画像表示デバイス内をほぼ均一に表示する必要があるが、蛍光強度分布は、例えば、ガウシアン状となり、この分布の周囲部の光は有効に利用できず、光学系の効率が低くなる、といった問題があった。更には、励起光強度分布が完全には均一にならず強弱が生じることによって、蛍光の発光効率が局所的に低下しやすく、また蛍光体自体が損傷するおそれがある、といった問題があった。
【０００６】
本発明は、以上のような事情に基づいてなされたものであって、その目的は、高い光出力を得ることができると共に均一な光強度分布を有する光を出射することのできる蛍光体光源装置を提供することにある。
【課題を解決するための手段】
【０００７】
本発明の蛍光体光源装置は、蛍光体と、当該蛍光体を励起させる光を出射する励起用光源とを具備し、当該蛍光体から発せられる光が出射される蛍光体光源装置であって、
ホログラム素子が、前記励起用光源よりの光が当該ホログラム素子の製造時に用いられた参照光の照射方向に沿った方向より照射される位置であって、かつ、当該ホログラム素子に記録された再生像が前記蛍光体上に生成される位置に、配置されており、
当該ホログラム素子は、前記蛍光体上の再生像領域内における光強度分布が均一な再生像を生成するものであることを特徴とする。
【０００８】
本発明の蛍光体光源装置においては、複数の励起用光源を具えており、当該各々の励起用光源より出射されるレーザ光の前記ホログラム素子上の各照射位置から発生する再生像の各々が前記蛍光体の入射面において重ね合わせられる構成とされていることが好ましい。
【０００９】
また、本発明の蛍光体光源装置においては、前記励起用光源より出射される光を前記ホログラム素子の入光面上において走査させる光学素子を具えた構成とされていることが好ましい。
【００１０】
本発明の蛍光体光源装置は、蛍光体と、当該蛍光体を励起させる光を出射する複数の励起用光源とを具備し、当該蛍光体から発せられる光が出射される蛍光体光源装置であって、
複数のホログラム素子が、対応する励起用光源より出射される光が当該ホログラム素子の製造時に用いられた参照光の照射方向に沿った方向より照射される位置であって、かつ、当該ホログラム素子に記録された再生像が前記蛍光体上に生成される位置に、配置されており、
前記複数のホログラム素子による再生像の各々が重ね合わせられて、前記蛍光体上の再生像領域内における光強度分布が均一な合成再生像が生成されることを特徴とする。
【００１１】
本発明の蛍光体光源装置においては、前記ホログラム素子として、前記蛍光体上の矩形領域を照明する光よりなる再生像が記録されたものが用いられた構成とすることができる。
【発明の効果】
【００１２】
本発明の蛍光体光源装置によれば、励起用光源より出射される光がホログラム素子に照射されることにより生成される。ここにおいて、当該ホログラム素子は、蛍光体上の再生像領域内における光強度分布が均一な再生像を生成するものである。このホログラム素子の再生像（ホログラム像）が蛍光体の励起光として用いられ、蛍光体上の再生像領域内における光強度分布が均一な再生像が当該蛍光体上に生成される構成とされている。これにより、蛍光体を効率よく励起させて発光させることができ、しかも、例えばトップハット形状のような均一性の高い光強度分布を有する光を放射することができる。また、蛍光体を励起させるホログラム素子による再生像が均一な光強度分布を有するものであることにより、蛍光体の発光効率が局所的に低下したり、蛍光体自体が損耗したりするといった問題が生ずることを回避することができる。
【００１３】
また、複数の励起用光源の各々から出射されるレーザ光のホログラム素子上の各照射位置より生成される各再生像が蛍光体上において重ね合わせられ、これにより生成される合成再生像が蛍光体の励起光として用いられる構成とされている。この構成により、個々の励起用光源がホログラム素子に対する照射輝度が小さいものであっても、蛍光体上に生成される合成再生像は十分に高い輝度を有するものとなる。これにより、蛍光体より放射される光の光量を多くすることができて高い光出力を得ることができ、しかも、ホログラム素子に対する熱負荷を低減することができる。
【図面の簡単な説明】
【００１４】
【図１】本発明の蛍光体光源装置の一例における構成の概略を示す図である。
【図２】本発明の蛍光体光源装置の他の例における構成の概略を示す図である。
【図３】本発明の蛍光体光源装置のさらに他の例における構成の概略を示す図である。
【図４】本発明の蛍光体光源装置のさらに他の例における構成の概略を示す図である。
【図５】本発明の蛍光体光源装置が搭載されたプロジェクタ装置の一例における構成の概略を示す図である。
【発明を実施するための形態】
【００１５】
以下、本発明の実施の形態について詳細に説明する。
図１は、本発明の蛍光体光源装置の一例における構成の概略を示す図である。この蛍光体光源装置は、レーザ光出射機構１０と、蛍光体３０とを具えており、このレーザ光出射機構１０より出射されるレーザ光を利用して蛍光体３０を励起させて当該蛍光体３０から発せられる光を出射するものである。
【００１６】
レーザ光出射機構１０は、各々蛍光体３０を励起させる光を出射する励起用光源を構成する複数のレーザ光源１１と、各々のレーザ光源１１の光出射方向前方側の位置に配置された、レーザ光源１１より所定の拡がり角で出射される光を略平行光とする複数のコリメートレンズ１２とを具えている。
各々のレーザ光源１１は、例えば互いに同一の発振波長のレーザ光を出射する半導体レーザよりなり、出射されるレーザ光の光軸が互いに平行に延びるよう配置されている。
各々のコリメートレンズ１２は、光軸が対応するレーザ光源１１の光軸と一致する状態で配置されている。
【００１７】
この蛍光体光源装置は、レーザ光出射機構１０より出射されるレーザ光により再生像を生成（ホログラム像を再生）する例えば反射型のホログラム素子２０を具えている。ホログラム素子２０は、各々のレーザ光源１１よりのレーザ光が当該ホログラム素子２０の製造時に用いられた参照光の照射方向に沿った方向より照射される位置に配置されている。
ホログラム素子２０には、例えば蛍光体３０の入光面上の所定領域を照明する光（像）により構成された再生像（ホログラム像）が記録されている。再生像としては、特に限定されるものではないが、蛍光体光源装置が例えば空間変調素子を具えたプロジェクタ装置用の光源として用いられる場合には、蛍光体３０の入光面上の矩形領域を照明する光により構成されていることが好ましい。この理由は、空間変調素子の入光面が通常矩形形状とされているためである。
ホログラム素子２０におけるレーザ光の各照射位置Ｌ１，Ｌ２，Ｌ３から発生する各再生像Ｈ１，Ｈ２，Ｈ３は、蛍光体３０上の再生像領域内における光強度分布が均一であるものであり、蛍光体３０の入光面上の同一の位置に生成される。すなわち、各再生像Ｈ１，Ｈ２，Ｈ３は、蛍光体３０上において重畳されて蛍光体３０上の再生像領域内における光強度分布が均一な合成再生像を形成する。
本発明において、光強度分布が「均一」とは、平均強度に対する強度分布（バラツキ）が±１０％以内であることをいう。
【００１８】
ホログラム素子２０による合成再生像の形成位置には、合成再生像（励起光）により励起されて発光する蛍光体３０が配置されている。
蛍光体３０には、冷却手段が設けられていることが好ましい。冷却手段としては、例えばヒートシンクを用いることができ、当該ヒートシンクは、蛍光体３０における入光面と反対側の面に接触させて設けられる。このような構成とされていることにより、蛍光体３０が過熱状態となることを防止することができて蛍光体３０の損傷または機能低下（劣化）を抑制することができる。
【００１９】
上記の蛍光体光源装置においては、各々のレーザ光源１１より出射されるレーザ光がコリメートレンズ１２によって平行光とされてホログラム素子２０に照射される。ここに、ホログラム素子２０に入射されるレーザ光の配光分布特性は、例えば中央部分に最も光強度の高い部位が存在するガウシアン分布を有する。これにより、ホログラム素子２０上のレーザ光の各照射位置Ｌ１，Ｌ２，Ｌ３から発生する再生像が蛍光体３０の入光面上に生成され、各再生像Ｈ１，Ｈ２，Ｈ３は、蛍光体３０上において重畳されて合成再生像を形成する。ここに、蛍光体３０上に形成される合成再生像の光強度分布は、例えばトップハット形状（均一な光強度分布）を有する。そして、合成再生像により蛍光体３０が励起されて発光し、当該蛍光が、蛍光体３０の入光面に垂直な軸Ｃ１を中心とする概略ランバーシアン分布の配光分布特性（均一な配光分布特性）にて放射される。この蛍光体光源装置より出射される光は、例えば凸レンズ４５によって平行光化するなどして利用することができる。
【００２０】
而して、上記構成の蛍光体光源装置によれば、複数のレーザ光源１１の各々から出射されるレーザ光のホログラム素子２０上の各照射位置Ｌ１，Ｌ２，Ｌ３から発生する再生像Ｈ１，Ｈ２，Ｈ３が蛍光体３０上において重ね合わされ、これにより形成される合成再生像が蛍光体３０の励起光として用いられ、合成再生像の再生像領域内における光強度分布が均一であることにより、蛍光体３０を効率よく励起させて発光させることができ、しかも、例えばトップハット形状のような均一性の高い光強度分布を有する光を放射することができる。また、蛍光体３０を励起させるホログラム素子２０による合成再生像が均一な光強度分布を有するものであることにより、蛍光体３０の発光効率が局所的に低下したり、蛍光体３０自体が損耗したりするといった問題が生ずることを回避することができる。
また、個々のレーザ光源１１がホログラム素子２０に対するレーザ光の照射輝度が小さいものであっても、蛍光体３０上に生成される合成再生像は十分に高い輝度を有するものとなる。これにより、蛍光体３０より放射される光の光量を多くすることができて高い光出力を得ることができ、しかも、ホログラム素子２０に対する熱負荷を低減することができる。
【００２１】
以上、本発明の実施形態について説明したが、本発明は上記の実施形態に限定されるものではなく、種々の変更を加えることができる。
例えば、励起用光源としては、半導体レーザよりなるレーザ光源に限定されるものではなく、ランプ光源やＬＥＤなどが用いられてもよく、また、その数も特に制限されるものではない。また、励起用光源は、マルチエミッター半導体レーザとマイクロレンズによるコリメーション機構とが組み合わせられて構成されたものであってもよい。
また、本発明の蛍光体光源装置においては、例えば複数の励起用光源の各々に対応する複数のホログラム素子が設けられた構成とされていてもよい。このような構成においては、各々のホログラム素子は、均一な光強度分布を有する再生像を生成するものである必要はなく、各々のホログラム素子による再生像の強度が互いに補償されて蛍光体上で生成される合成再生像が均一な光強度分布を有するものとなるよう構成されていればよい。また、ホログラム素子として、再生像を入光面の反対面側に生成する透過型のものが用いられた構成とされていてもよい。さらにまた、ホログラム素子に平行ビームが照射される構成のものを例に挙げたが、ホログラム素子の製造時に用いられた参照光の光路に沿った方向の光が含まれる収束ビーム等がホログラム素子に照射される構成とされていてもよい。また、ホログラムへの入射光学系は、レンズのみならずミラーによる集光など種々考えられる。
蛍光体の冷却手段としては、例えば蛍光体自体を機械的に動かし（例えば回転させ）再生像が照射される位置を時間的に変化させる手段も有効である。
【００２２】
図２は、本発明の蛍光体光源装置の他の例における構成の概略を示す図である。
この蛍光体光源装置は、ホログラム素子として、レーザ光の入光面側に再生像が生成される反射型のものの代わりに、レーザ光の入光面の反対面側に再生像が生成される透過型のものが用いられている。
レーザ光出射機構１０は、各々蛍光体３０を励起させる光を出射する励起用光源を構成する複数（例えば９つ）のレーザ光源１１と、各々のレーザ光源１１の光出射方向前方側の位置に配置された、レーザ光源１１より所定の拡がり角で出射される光を略平行光とする複数のコリメートレンズ１２とを具えている。
各々のレーザ光源１１は、例えば互いに同一の発振波長のレーザ光を出射する半導体レーザよりなり、出射されるレーザ光の光軸が互いに平行に延びるよう配置されている。
各々のコリメートレンズ１２は、光軸が対応するレーザ光源の光軸と一致する状態で配置されている。
【００２３】
この例における蛍光体光源装置は、レーザ光出射機構１０より出射されるレーザ光により再生像を生成する透過型のホログラム素子２１を具えている。
ホログラム素子２１は、各々のレーザ光源１１よりのレーザ光が当該ホログラム素子２１の製造時に用いられた参照光の照射方向に沿った方向より照射される位置に配置されている。
ホログラム素子２１には、蛍光体３０の入光面上の所定領域、例えば矩形領域を照明する光よりなる再生像が記録されている。
ホログラム素子２１におけるレーザ光の各照射位置から発生する各再生像は、蛍光体３０上の再生像領域Ｘ内における光強度分布が均一となるものであり、蛍光体３０の入光面上の同一の位置に生成される。すなわち、各再生像は、蛍光体３０上において重畳されて蛍光体３０上の再生像領域Ｘ内における光強度分布が均一な合成再生像を形成する。図２においては、理解を容易にするために、ホログラム素子２１における２箇所のレーザ光の照射位置Ｌａ，Ｌｉより生成される再生像Ｈａ，Ｈｉのみを破線で示してある。
【００２４】
ホログラム素子２１による合成再生像の形成位置には、合成再生像により励起されて発光する蛍光体３０が配置されている。
この例における蛍光体３０は、例えば、円盤状の透光性基板３１の一面上に円環状（リング状）に形成された蛍光体膜により構成されている（図２においては、便宜上、ハッチングが付してある。）。透光性基板３１は、図示しない駆動機構によって、当該透光性基板３１の中心軸（透光性基板３１に垂直な軸）Ｃ２を中心に回転駆動される。ここに、透光性基板３１の回転数は、例えば６０ｒｐｍである。このような構成とされていることにより、蛍光体３０が過熱状態となることを防止することができて蛍光体３０の損傷または機能低下（劣化）を抑制することができる。
【００２５】
上記の蛍光体光源装置においては、各々のレーザ光源１１より出射されるレーザ光がコリメートレンズ１２によって平行光とされてホログラム素子２１に照射される。これにより、ホログラム素子２１上のレーザ光の各照射位置から発生する再生像の各々が、回転駆動される透光性基板３１の一面上に形成された蛍光体３０の所定箇所において重畳されて合成再生像を形成する。そして、合成再生像により蛍光体３０が励起されて発光し、当該蛍光が、蛍光体３０の入光面に垂直な軸を中心とする概略ランバーシアン分布の配光分布特性（均一な配光分布特性）にて透光性基板３１の他面側から出射される。この蛍光体光源装置より出射される光は、図１に示す蛍光体光源装置と同様に、例えば凸レンズによって平行光化するなどして利用することができる。
このような構成の蛍光体光源装置によっても、上記と同様の効果を得ることができる。
【００２６】
図３は、本発明の蛍光体光源装置のさらに他の例における構成の概略を示す図である。
この蛍光体光源装置は、図２に示す構成の蛍光体光源装置において、ホログラム素子２１に対する入射光学系として、レーザ光出射機構１０より出射される光を集束する集束レンズ１５および各レーザ光源１１よりの光をホログラム素子２１の入光面上において走査させる光学素子をさらに具えた構成とされていることの他は、図２示す蛍光体光源装置と同一の構成を有する。図３において、図２示す蛍光体光源装置のものと同一の構成部材には、同一の符号が付してあり、その説明を省略する。
【００２７】
各レーザ光源１１より出射される光をホログラム素子２１の入光面上において走査させる光学素子として、例えば、各々ガルバノメータスキャナにより構成された１対のスキャンミラー４０Ａ，４０Ｂが用いられている。一方のスキャンミラー４０Ａは、集束レンズ１５によるレーザ光の集束位置において、集束レンズ１５によって集束されたレーザ光の光点がホログラム素子２１の入光面上において一方向に走査されるよう、揺動可能に設けられている。他方のスキャンミラー４０Ｂは、一方のスキャンミラー４０Ａよりのレーザ光の光点がホログラム素子２０Ａの入光面上において前記一方向とは垂直な他方向に走査されるよう、揺動可能に設けられている。各々のスキャンミラー４０Ａ，４０Ｂの揺動中心軸Ｃ３，Ｃ４は、互いに直交する方向に延びるよう設定されている。
【００２８】
上記の蛍光体光源装置においては、レーザ光出射機構１０より出射されるレーザ光が、集束レンズ１５によって集束されて、一対のスキャンミラー４０Ａ，４０Ｂに順次に入射される。これらの一対のスキャンミラー４０Ａ，４０Ｂが互いに関連されて制御されることにより、各レーザ光源より出射されるレーザ光がホログラム素子２１の入光面上の同一の位置に照射されると共に当該レーザ光の光点がホログラム素子２１の入光面上を２次元的な軌跡を描いて時間的に変化するよう走査される。これにより、ホログラム素子２１上のレーザ光の照射位置から発生する再生像が、回転駆動される透光性基板３１の一面上に形成された蛍光体の所定箇所において生成される。ここに、ホログラム素子２１による再生像は、レーザ光の照射位置に拘らず、蛍光体３０上の周方向における同一位置に生成される。そして、再生像により蛍光体３０が励起されて発光し、当該蛍光が、蛍光体３０の入光面に垂直な軸を中心とする概略ランバーシアン分布の配光分布特性（均一な配光分布特性）にて透光性基板３１の他面側から出射される。この蛍光体光源装置においても、出射される光は、図１に示す蛍光体光源装置と同様に、例えば凸レンズによって平行光化するなどして利用することができる。
このような構成の蛍光体光源装置によっても、上記と同様の効果を得ることができ、しかも、ホログラム素子２１へのビーム集中による熱負荷を緩和することができる。
【００２９】
図４は、本発明の蛍光体光源装置のさらに他の例における構成の概略を示す図である。
この蛍光体光源装置は、図１に示す構成の蛍光体光源装置において、複数のレーザ光源の各々に対応する複数のホログラム素子２０Ａ，２０Ｂ，２０Ｃが設けられた構成とされていることの他は、図１に示す蛍光体光源装置と同一の構成を有する。図４において、図１示す蛍光体光源装置のものと同一の構成部材には、同一の符号が付してあり、その説明を省略する。
【００３０】
各々のホログラム素子２０Ａ，２０Ｂ，２０Ｃは、レーザ光出射機構１０における対応するレーザ光源１１より出射されるレーザ光が当該ホログラム素子２０Ａ，２０Ｂ，２０Ｃの製造時に用いられた参照光の照射方向に沿った方向より照射される位置に配置されている。
この例におけるホログラム素子２０Ａ，２０Ｂ，２０Ｃの各々は、例えば蛍光体３０上の再生像領域内において所定の光強度分布を有する再生像Ｈ１，Ｈ２，Ｈ３を生成するものであって、各々のホログラム素子２０Ａ，２０Ｂ，２０Ｃによる再生像Ｈ１，Ｈ２，Ｈ３が蛍光体３０上において重畳されて蛍光体３０上の再生像領域内における光強度分布が均一な合成再生像を形成する。
【００３１】
上記の蛍光体光源装置においては、各々のレーザ光源１１より出射されるレーザ光がコリメートレンズ１２によって平行光とされて対応するホログラム素子２０Ａ，２０Ｂ，２０Ｃに照射される。これにより、各々のホログラム素子２０Ａ，２０Ｂ，２０Ｃに記録された再生像Ｈ１，Ｈ２，Ｈ３が再生され、各再生像Ｈ１，Ｈ２，Ｈ３は、蛍光体３０上において重畳されて合成再生像を形成する。ここに、蛍光体に入射されるレーザ光（合成再生像）の強度分布は、各再生像Ｈ１，Ｈ２，Ｈ３の強度分布が互いに補償されて、例えばトップハット形状（均一な強度分布）を有するものとなる。そして、合成再生像により蛍光体３０が励起されて発光し、当該蛍光が、蛍光体３０の入光面に垂直な軸Ｃ１を中心とする概略ランバーシアン分布の配光分布特性（均一な配光分布特性）にて出射される。この蛍光体光源装置より出射される光は、例えば凸レンズ４５により平行光化するなどして利用することができる。
このような構成の蛍光体光源装置によっても、上記と同様の効果を得ることができる。
【００３２】
以上のように、本発明の蛍光体光源装置は、均一な光強度分布を有する光を高い光出力で出射することのできるものであるので、プロジェクタ装置用の光源装置として有用なものとなる。以下、本発明の蛍光体光源装置が搭載されたプロジェクタ装置について説明する。
【００３３】
＜プロジェクタ装置＞
図５は、本発明の蛍光体光源装置が搭載されたプロジェクタ装置の一例における構成の概略を示す図である。
このプロジェクタ装置は、第１の色光光源部５０Ｒ、第２の色光光源部５０Ｇおよび第３の色光光源部５０Ｂと、第１の色光光源部５０Ｒよりの色光Ｒ、第２の色光光源部５０Ｇよりの色光Ｇおよび第３の色光光源部５０Ｂよりの色光Ｂを合成して合成光Ｗを出射する色合成光学部材６０と、色合成光学部材６０よりの合成光Ｗが入射されて光画像Ｐが出射される透過型の空間変調素子７０と、光画像Ｐを拡大してスクリーンＳに投射する、投射レンズよりなる合成光画像投射機構８０とを具えている。
【００３４】
第１の色光光源部５０Ｒは、色光Ｒ（例えば赤色光）を放射する第１のレーザ光源を励起用光源として具えた、図１乃至図３のいずれかの蛍光体光源装置により構成されている。
第２の色光光源部５０Ｇは、色光Ｇ（例えば緑色光）を放射する第２のレーザ光源を励起用光源として具えた、図１乃至図３のいずれかの蛍光体光源装置により構成されている。
第３の色光光源部５０Ｂは、色光Ｂ（例えば青色光）を放射する第３のレーザ光源を励起用光源として具えた、図１乃至図３のいずれかの蛍光体光源装置により構成されている。
【００３５】
色合成光学部材６０は、第１の色光光源部５０Ｒよりの色光Ｒの光路、第２の色光光源部５０Ｇよりの色光Ｇの光路および第３の色光光源部５０Ｂよりの色光Ｂの光路の交点に配置されている。色合成光学部材６０としては、例えばダイクロイックプリズムなどの色合成プリズムを用いることができる。
【００３６】
空間変調素子７０は、色合成光学部材６０よりの合成光Ｗの光路上に配置されている。
空間変調素子７０の具体例としては、デジタルマイクロミラーデバイス（ＤＭＤ；登録商標）、液晶表示デバイスなどが挙げられる。
【００３７】
上記のプロジェクタ装置においては、第１の色光光源部５０Ｒよりの色光Ｒ、第２の色光光源部５０Ｇよりの色光Ｇおよび第３の色光光源部５０Ｂよりの色光Ｂが色合成光学部材６０に入射され、この色合成光学部材６０によって合成されて合成光Ｗが出射される。色合成光学部材６０よりの合成光Ｗは空間変調素子７０に入射され、この空間変調素子７０によって変調されることにより形成された光画像Ｐが合成光画像投射機構８０を介してスクリーンＳに拡大投射される。
【００３８】
上記のプロジェクタ装置によれば、各色光光源部５０Ｒ，５０Ｇ，５０Ｂが上記の蛍光体光源装置により構成されていることにより、当該蛍光体光源装置が均一な光強度分布を有する光を高い光出力で出射することのできるものであるので、高輝度の画像を投射することができる。
【符号の説明】
【００３９】
１０  レーザ光出射機構
１１  レーザ光源
１２  コリメートレンズ
１５  集束レンズ
２０，２０Ａ，２０Ｂ，２０Ｃ  ホログラム素子（反射型）
２１  ホログラム素子（透過型）
３０  蛍光体
３１  透光性基板
４０Ａ，４０Ｂ  スキャンミラー
４５  凸レンズ
Ｈ１，Ｈ２，Ｈ３，Ｈａ，Ｈｉ  再生像
Ｘ  再生像領域
５０Ｒ  第１の色光光源部
５０Ｇ  第２の色光光源部
５０Ｂ  第３の色光光源部
６０  色合成光学部材
７０  空間変調素子
８０  合成光画像投射機構
Ｓ  スクリーン
Ｐ  光画像
【図１】
2014002839.tif 000003
【図２】
2014002839.tif 000004
【図３】
2014002839.tif 000005
【図４】
2014002839.tif 000006
【図５】
2014002839.tif 000007